(57)【特許請求の範囲】
【請求項１】
確定キーとこの確定キーを囲む方向キーとを有するキーシートと、
前記キーシートの裏面の前記確定キーに対応する位置に設けた押し子と、
前記押し子に対向するように設けかつ前記押し子により変形してクリック感を発生するクリック感発生部とを備えた多方向入力装置であって、
前記方向キーの任意方向の押し下げに伴って前記方向キーが前記確定キーと共に傾動する構造に形成し、
前記方向キーの任意方向を押し下げていくと前記押し子により前記クリック感発生部が変形してクリック感が発生する構造に形成し、
少なくとも前記クリック感の発生前における前記方向キーの任意方向の押し下げに伴って互いの距離が変化し、かつこの距離の変化から押し下げた前記任意方向を少なくとも前記クリック感の発生前に検知するための可動素子及び固定素子をさらに備えることを特徴とする多方向入力装置。
【請求項２】
請求項１記載の多方向入力装置において、前記可動素子及び前記固定素子は、前記クリック感の発生前における前記方向キーの任意方向の押し下げに伴って互いの距離が変化し、かつこの距離の変化から押し下げた前記任意方向を前記クリック感の発生前後に検知するためのものであることを特徴とするもの。
【請求項３】
請求項１記載の多方向入力装置において、前記可動素子及び前記固定素子は、前記クリック感の発生前後における前記方向キーの任意方向の押し下げに伴って互いの距離が変化し、かつこの距離の変化から押し下げた前記任意方向を前記クリック感の発生前後に検知するためのものであることを特徴とするもの。
【請求項４】
請求項１乃至３いずれか１項記載の多方向入力装置において、前記可動素子及び前記固定素子は前記距離の変化から前記任意方向の押し下げに用いた力の強さ及び又は力の速さもさらに測定するためのものであることを特徴とするもの。
【請求項５】
請求項１乃至４いずれか１項記載の多方向入力装置において、前記キーシートは前記確定キー及び前記方向キーを配置したシート状部材をさらに有することを特徴とするもの。
【請求項６】
請求項１乃至５いずれか１項記載の多方向入力装置において、前記可動素子は前記確定キー及び方向キーの傾動に伴って移動するように前記キーシートの裏面側に設け、前記固定素子は前記可動素子に対向するように設けたことを特徴とするもの。
【請求項７】
請求項１乃至６いずれか１項記載の多方向入力装置において、前記方向キーの任意方向を押し下げていくとこの任意方向と逆方向が下方に移動するように前記確定キー及び前記方向キーの傾動方向を変化させる傾動方向変化用部材をさらに設け、かつ前記確定キー及び前記方向キーの傾動方向の変化後に前記任意方向をさらに押し下げていくと前記押し子により前記クリック感発生部が変形してクリック感を発生する構造に形成したことを特徴とするもの。
【請求項８】
請求項７記載の多方向入力装置において、前記確定キー及び前記方向キーが傾動するのに必要な前記方向キーの任意方向を押し下げていく力は前記傾動方向の変化前よりも前記傾動方向の変化後の方が大きくなるように前記傾動方向変化用部材を設けることを特徴とするもの。
【請求項９】
請求項１乃至８いずれか１項記載の多方向入力装置において、前記傾動方向変化用部材と前記押し子のうち少なくとも一方は変形可能で、前記クリック感が発生した後にさらに前記任意方向を押し下げていくと前記傾動方向変化用部材及び又は前記押し子が変形して前記確定キー及び前記方向キーがさらに傾動することを特徴とするもの。
【請求項１０】
請求項１乃至９いずれか１項記載の多方向入力装置において、前記可動素子は前記固定素子に対して傾斜を有することを特徴とするもの。
【請求項１１】
請求項１乃至１０いずれか１項記載の多方向入力装置において、前記可動素子は可動電極であり、前記固定素子は固定電極であり、前記互いの距離は静電容量であることを特徴とするもの。
【請求項１２】
請求項１１記載の多方向入力装置において、
前記可動電極の上に設けた空間と、
前記可動電極と前記固定電極のうちの少なくとも一方の表面に設けた絶縁層とをさらに備え、
前記任意方向を押し下げていくと前記確定キー及び前記方向キーの傾動に伴って前記可動電極が移動し前記固定電極と前記絶縁層を介して接触し、前記可動電極が前記固定電極に接触するのに伴って前記空間が徐々につぶれていく構造に形成したことを特徴とするもの。
【請求項１３】
請求項１２記載の多方向入力装置において、
前記可動電極の上に設けた空間と、
前記固定電極の内側又は外側に設けた２つの短絡用接点と、
前記可動電極の前記２つの短絡用接点と接触しない部分の表面と前記固定電極の表面のうち少なくとも一方に設けた絶縁層とをさらに備え、
前記任意方向を押し下げていくと前記確定キー及び前記方向キーの傾動に伴って前記可動電極が移動しまず短絡用接点が短絡され前記固定電極と前記絶縁層を介して接触し前記可動電極が前記固定電極に接触するのに伴って前記空間が徐々につぶれていく構造に形成したことを特徴とするもの。
【請求項１４】
請求項５乃至１３いずれか１項記載の多方向入力装置において、前記確定キーの下方への移動に伴って展開可能な屈曲部を前記シート状部材かつ前記確定キーの外周部にさらに設けたことを特徴とするもの。
【請求項１５】
請求項５乃至１４いずれか１項記載の多方向入力装置おいて、前記方向キーの傾動に伴って展開可能な屈曲部を前記シート状部材かつ前記方向キーの外周部にさらに設けたことを特徴とするもの。
【発明の詳細な説明】
【技術分野】
【０００１】
本発明は、携帯電話機(所謂ＰＨＳを含む)、携帯情報端末（ＰＤＡ：personal  digital  assistance等）、携帯オーディオ、家電製品用リモートコントローラ、ゲーム遊戯装置、キーボードなどの電子機器へ用いることが出来る多方向入力装置に関する。
【背景技術】
【０００２】
例えば特許文献１は、基板上に４枚の電極を形成し、この基板上にゴムの膜からなる弾性変形体を配置する容量素子を用いた力検出装置を開示している（要約参照）。そして、特許文献１の容量素子を用いた力検出装置では、弾性変形体の下面に導電性塗料を塗布して、変位導電層を形成する（要約参照）。また、電極とこれに対向する変位導電層とにより、４組の容量素子を構成する（要約参照）。さらに、その静電容量値をＣ／Ｖ変換回路で電圧値に変換し、信号処理回路による演算で、弾性変形体に加えられた外力を検出する（要約参照）。なお、弾性変形体上には操作盤が設けられている（明細書段落番号［００３０］参照）。
【０００３】
また、特許文献２は、操作つまみ上面の押圧部が下面の円形リング状の突出部の直径よりも内側にあると共に、押釦が上記操作つまみ中央の貫通孔に同心状に係合しており、上記操作つまみ上面の押圧部を押して所望の角度方向に傾倒させるのに伴って押釦も下方に動き、まず、上記操作つまみが可撓性絶縁基板を押して傾倒した角度方向を認識した後に、上記押釦が円形ドーム状の可動接点を押すことによりスイッチ接点部が節度感を伴って接触して信号を発する多方向入力装置を開示している（請求項６、図１９乃至図２１参照）。
【０００４】
【特許文献１】特開２００３−１３１７８６号公報
【特許文献２】特開２００２−１１７７５１号公報
【発明の開示】
【発明が解決しようとする課題】
【０００５】
しかし、特許文献１記載の力検出装置では、弾性変形体の所定方向への外力が加わった場合、弾性変形体が変形していくのでドーム状構造体を変形させることが出来ずクリック感が得られない（図１４乃至図１６参照）。すなわち、方向キーの任意方向を押し下げていってもクリック感が得られない。
【０００６】
特許文献２記載の多方向入力装置では、操作つまみが可撓性絶縁基板を押して傾倒した角度方向を認識した後に、上記押釦が円形ドーム状の可動接点を押すことによりスイッチ接点部が節度感を伴って接触して信号を発するので、方向キー（操作つまみ）の任意方向（角度方向）を押し下げていくなかでクリック感発生前（節度感発生前）において上記の傾動（傾倒）した任意方向（角度方向）を判定することが出来ない。
【０００７】
方向キーの任意方向を押し下げて発生するクリック感は、方向キーの任意方向を押し下げた操作者が認識できるものである。通常、このクリック感は、多方向入力装置が方向キーの任意方向が押し下げられたと検知したことを操作者に認識させるためのものである。このため、従来の多方向入力装置を用いた携帯電話機等では、クリック感が発生してから方向キーの任意方向の押し下げに対応する処理を行っていた。特許文献２記載の多方向入力装置も同様であり、これはスイッチ接点部が節度感を伴って接触して信号を発するとあることからも明らかである。従って、特許文献２記載の多方向入力装置を用いた携帯電話機等では、クリック感発生前における押し下げられた方向キーの任意方向をクリック感発生前に検知することを考慮していない。
【０００８】
ところで、携帯電話機等は、クリック感発生前において押し下げた任意方向を検知することにより、所定の弱い力（方向キーの任意方向を押し下げてクリック感が発生するために必要な力よりも弱い力）での方向キーの任意方向の押し下げに対応する処理（例えばポインタの通常速度（基本的には一定速度）での移動）が可能となる。一方で、操作者は、この処理を携帯電話機等に行わせるために、クリック感を基準に上記の弱い力により方向キーの任意方向の押し下げが出来る。すなわち、操作者は、方向キーの任意方向を押し下げる力を調節して例えばポインタを通常速度（基本的には一定速度）で移動させる操作が出来る。
【０００９】
本発明は上記の点に鑑みてなされたものであり、その目的とするところは、クリック感発生前において押し下げた任意方向を検知し、クリック感を基準に所定の弱い力（方向キーの任意方向を押し下げてクリック感が発生するために必要な力よりも弱い力）で方向キーの任意方向の押し下げが出来る多方向入力装置を提供することにある。
【課題を解決するための手段】
【００１０】
上記課題を解決するため、本発明に係る多方向入力装置は、確定キーとこの確定キーを囲む方向キーとを有するキーシートと、前記キーシートの裏面の前記確定キーに対応する位置に設けた押し子と、前記押し子に対向するように設けかつ前記押し子により変形してクリック感を発生するクリック感発生部とを備えた多方向入力装置であって、前記方向キーの任意方向の押し下げに伴って前記方向キーが前記確定キーと共に傾動する構造に形成し、前記方向キーの任意方向を押し下げていくと前記押し子により前記クリック感発生部が変形してクリック感が発生する構造に形成し、少なくとも前記クリック感の発生前における前記方向キーの任意方向の押し下げに伴って互いの距離が変化し、かつこの距離の変化から押し下げた前記任意方向を少なくとも前記クリック感の発生前に検知するための可動素子及び固定素子をさらに備えることを特徴とする。
【００１１】
この多方向入力装置を所定の電子機器に用いた場合、この可動素子及び固定素子により、クリック感発生前において押し下げた任意方向が検知可能となる。前記方向キーの任意方向の押し下げに伴って前記方向キーが前記確定キーと共に傾動する構造により、押し子が所定の場合に移動できる。そして、前記方向キーの任意方向を押し下げていくと前記押し子により前記クリック感発生部が変形してクリック感が発生する構造により、方向キーの任意方向を押し下げていくと、クリック感が得られる。このため、操作者は、クリック感を基準に所定の弱い力（すなわち方向キーの任意方向を押し下げてクリック感が発生するために必要な力よりも弱い力）で方向キーの任意方向の押し下げが出来る。
【００１２】
また、本発明に係る多方向入力装置は、前記可動素子及び前記固定素子は、前記クリック感の発生前における前記方向キーの任意方向の押し下げに伴って互いの距離が変化し、かつこの距離の変化から押し下げた前記任意方向を前記クリック感の発生前後に検知するためのものであることを特徴とする。
【００１３】
この多方向入力装置を所定の電子機器に用いた場合、この可動素子及び固定素子により、クリック感発生前において押し下げた任意方向が検知可能となる。さらに、方向キーの同一方向を押し下げていくとクリック感発生後にこれ以上この同一方向を押し下げ出来ない場合があるが、この場合でもこの操作を解除しなければ、クリック感の発生前における可動素子と固定素子の距離の変化からクリック感発生後においてもクリック感発生前に押し下げた前記同一方向の検知が可能となる。これにより、クリック感発生前後でクリック感発生前に検知した方向（同一方向）に対応する処理が出来る。例えば、画面上のポインタを移動させる場合、方向キーの同一方向（例えば右方向）を押し下げていきクリック感が発生した後にこれ以上方向キーの同一方向を押し下げることが出来ないとしても、この操作を解除しなければ、ポインタはクリック感発生前では通常速度（基本的には一定速度）で移動し、クリック感発生後では加速して移動するといった処理が出来る。
【００１４】
また、本発明に係る多方向入力装置は、前記可動素子及び前記固定素子は、前記クリック感の発生前後における前記方向キーの任意方向の押し下げに伴って互いの距離が変化し、かつこの距離の変化から押し下げた前記任意方向を前記クリック感の発生前後に検知するためのものであることを特徴とする。
【００１５】
これにより、この多方向入力装置を所定の電子機器に用いた場合、この可動素子及び固定素子により、クリック感発生前後において押し下げた任意方向が検知可能となる。これにより、方向キーの任意方向を押し下げていく中でクリック感が発生し、クリック感発生前後で押し下げた方向キーの任意方向の検知が出来るので、クリック感の発生前後で押し下げられた任意方向の検知に対応する処理を行うことが出来る。例えば、画面上のポインタを移動させる場合、ポインタはクリック感発生前では通常の速度（基本的には一定速度）で移動し、クリック感発生後では加速して移動するといった処理が出来る。
【００１６】
なお、本発明において任意方向の「押し下げ」とは具体的には方向キーの任意の一方向を押し下げていくこと（方向キーの一方向操作）であるが、これに加えて又は替えて方向キーの表面かつ周方向を所定の距離なぞるように略同一の力で押し下げていくこと（方向キーの回転操作）を意味する場合がある。この方向キーの回転操作は、例えばポインタの移動方向の変化、項目の選択、縦方向に一列に並んだ項目を順に選択等に用いられる。なお、クリック感の発生前で、方向キーの一方向操作（又は方向キーの回転操作）のみを受け付け、クリック感の発生前で、方向キーの回転操作（又は方向キーの一方向操作）のみを受け付ける処理としてもよい。
【００１７】
また、本発明に係る多方向入力装置は、前記可動素子及び前記固定素子は前記距離の変化から前記任意方向の押し下げに用いた力の強さ及び又は力の速さもさらに測定するためのものであることを特徴とする。
【００１８】
この多方向入力装置を所定の電子機器に用いた場合、可動素子及び固定素子が距離の変化から前記任意方向の押し下げに用いた力の強さ（すなわち、どの位置まで方向キーの任意方向を押し下げたか）及び又は力の速さ（すなわち、どの程度の速さで方向キーの任意方向を押し下げしたか）も測定することができるので、この力の強さ及び又は力の速さに応じた処理が出来る。
【００１９】
また、本発明に係る多方向入力装置は、前記キーシートは前記確定キー及び前記方向キーを配置したシート状部材をさらに有することを特徴とする。
【００２０】
また、本発明に係る多方向入力装置は、前記可動素子は前記確定キー及び方向キーの傾動に伴って移動するように前記キーシートの裏面側に設け、前記固定素子は前記可動素子に対向するように設けたことを特徴とする。
【００２１】
これにより、可動電極の移動距離を方向検知に必要な分だけ取ることが出来る。
【００２２】
また、本発明に係る多方向入力装置は、前記方向キーの任意方向を押し下げていくとこの任意方向と逆方向が下方に移動するように前記確定キー及び前記方向キーの傾動方向を変化させる傾動方向変化用部材をさらに設け、かつ前記確定キー及び前記方向キーの傾動方向の変化後に前記任意方向をさらに押し下げていくと前記押し子により前記クリック感発生部が変形してクリック感を発生する構造に形成したことを特徴とする。
【００２３】
また、本発明に係る多方向入力装置は、前記確定キー及び前記方向キーが傾動するのに必要な前記方向キーの任意方向を押し下げていく力は前記傾動方向の変化前よりも前記傾動方向の変化後の方が大きくなるように前記傾動方向変化用部材を設けることを特徴とする。
【００２４】
前記確定キー及び前記方向キーが傾動するのに必要な前記方向キーの任意方向を押し下げていく力は前記傾動方向の変化前よりも前記傾動方向の変化後の方が大きくなることにより、方向キーの任意方向を押し下げていく中で、クリック感を発生させるために必要な方向キーの任意方向を押し下げる力は通常よりも大きくなる。このため、徐々に力を入れていく中でクリック感の発生ポイントをずらす事が出来る。これにより、方向キーの任意方向を押し下げていく中で所定の弱い力（すなわち方向キーの任意方向を押し下げてクリック感が発生するために必要な力よりも弱い力）の範囲を広く取ることが出来るので、操作者はクリック感が発生する前の方向キーの任意方向の押し下げがし易くなる。
【００２５】
また、本発明に係る多方向入力装置は、前記傾動方向変化用部材と前記押し子のうち少なくとも一方は変形可能で、前記クリック感が発生した後にさらに前記任意方向を押し下げていくと前記傾動方向変化用部材及び又は前記押し子が変形して前記確定キー及び前記方向キーがさらに傾動することを特徴とする。
【００２６】
これにより、クリック感発生後に確定キー及び方向キーが傾動出来る。
【００２７】
また、本発明に係る多方向入力装置は、前記可動素子は前記固定素子に対して傾斜を有することを特徴とする。
【００２８】
これにより、可動素子と固定素子を平行に設けた場合よりも可動素子と固定素子の間の距離を近づけることが出来る。
【００２９】
また、本発明に係る多方向入力装置は、前記可動素子は可動電極であり、前記固定素子は固定電極であり、前記互いの距離は静電容量であることを特徴とする。
【００３０】
これにより、静電容量の変化による押し下げられた任意方向の検知に利用出来る。
【００３１】
また、本発明にかかる多方向入力装置は、前記可動電極の上に設けた空間と、前記可動電極と前記固定電極のうちの少なくとも一方の表面に設けた絶縁層とをさらに備え、前記任意方向を押し下げていくと前記確定キー及び前記方向キーの傾動に伴って前記可動電極が移動し前記固定電極と前記絶縁層を介して接触し、前記可動電極が前記固定電極に接触するのに伴って前記空間が徐々につぶれていく構造に形成したことを特徴とする。
【００３２】
前記確定キー及び前記方向キーの傾動に伴って前記可動電極が移動し前記固定電極と前記絶縁層を介して接触するので、可動電極と固定電極との距離を近づけることが出来る。さらに、可動電極の上に設けた空間が徐々につぶれていくので可動電極が固定電極と絶縁層を介してスムーズに接触していく。
【００３３】
また、本発明にかかる多方向入力装置は、前記可動電極の上に設けた空間と、前記固定電極の内側又は外側に設けた２つの短絡用接点と、前記可動電極の前記２つの短絡用接点と接触しない部分の表面と前記固定電極の表面のうち少なくとも一方に設けた絶縁層とをさらに備え、前記任意方向を押し下げていくと前記確定キー及び前記方向キーの傾動に伴って前記可動電極が移動しまず短絡用接点が短絡され前記固定電極と前記絶縁層を介して接触し前記可動電極が前記固定電極に接触するのに伴って前記空間が徐々につぶれていく構造に形成したことを特徴とする。
【００３４】
前記可動電極が前記固定電極と前記絶縁層を介して接触するので、可動電極と固定電極との距離を近づけることが出来る。さらに、可動電極の上に設けた空間が徐々につぶれていくので可動電極が固定電極と絶縁層を介してスムーズに接触していく。また、短絡用接点が短絡されることによりここから方向検知を開始するように出来る。
【００３５】
また、本発明にかかる多方向入力装置は、前記確定キーの下方への移動に伴って展開可能な屈曲部を前記シート状部材かつ前記確定キーの外周部にさらに設けたことを特徴とする。
【００３６】
この屈曲部により、確定キーの下方への移動をスムーズに出来る。
【００３７】
また、本発明にかかる多方向入力装置は、前記方向キーの傾動に伴って展開可能な屈曲部を前記シート状部材かつ前記方向キーの外周部にさらに設けたことを特徴とする。
【００３８】
この屈曲部により、方向キーの傾動をスムーズに出来る。
【００３９】
本発明において「確定キー」と「方向キー」は、基本的には独立したものであるが、一体的又は接着剤や粘着材等により固着することにより一つのキーとして形成しても良い。一体的に一つのキーとして形成した場合、中心部を「確定キー」、この中心部を囲む周囲の部分を「方向キー」とする。但し、「確定キーの下方への移動に伴って展開可能な屈曲部」を設ける場合には、「確定キー」と「方向キー」は別体とする必要がある。
【００４０】
本発明において「キーシート」は少なくとも確定キー及び方向キーとを有していれば良く。本発明では、確定キー及び方向キーのみから形成したものであっても「キーシート」と表現する。
【００４１】
本発明において「少なくとも前記クリック感の発生前における前記方向キーの任意方向の押し下げに伴って互いの距離が変化し、かつこの距離の変化から押し下げた前記任意方向を少なくとも前記クリック感の発生前に検知する」等の表現は、可動素子の移動直後（例えば方向キーの任意方向の押し下げ直後）に任意方向の検知を必ず開始しなければならないという表現ではない。具体的にはクリック感発生前に任意方向の検知を開始出来ればよい。前記任意方向の検知の開始ポイントは、前記任意方向を押し下げた直後（例えば軽く触れた程度）はもちろんのこと、例えば、可動素子が所定の位置まで移動しかつ確定キー及び方向キーの傾動方向が変化する前、又は確定キー及び方向キーの傾動方向が変化した後等でもよい。
【００４２】
本発明においてキーシートの「裏面側」に設ける可動素子は、基本的にキーシートの裏面に直接設けるものであるが、可動素子及び固定素子の距離変化により方向検知できるものであれば適宜キーシートの内部に埋め込む等してもよい。
【００４３】
本発明において「前記確定キー及び前記方向キーを配置したシート状部材」は、「確定キー」及び又は「方向キー」と「シート状部材」とを一体的に設けたものも含む概念である。
【００４４】
また、本発明において「シート状部材」は、基本的には一枚のシート状の部材であるが、複数の部材を一枚のシート状に形成したものでも良い。また、複数の部材のうち少なくとも一部の部材が物理的に離れていても、少なくとも一部の部材に確定キー及び方向キーが配置されていれば全体として「シート状部材」と表現する。さらに、「シート状部材」は凹凸があっても良い。
【発明の効果】
【００４５】
本発明によれば、クリック感発生前において押し下げた任意方向を検知し、クリック感を基準に所定の弱い力（方向キーの任意方向を押し下げてクリック感が発生するために必要な力よりも弱い力）で方向キーの任意方向の押し下げが出来る多方向入力装置を提供できる。
【発明を実施するための最良の形態】
【００４６】
以下、本発明の実施形態の一例に係る多方向入力装置について図面を参照しながら説明する。なお、図面において同様のものや対応するもの、総称できるものについては同じ符号を付して説明する。また、図面において同様のものや対応するもの、総称できるものが複数ある場合、その一部についてのみ符号を付した場合がある。
【００４７】
（第一の実施形態）
本実施形態では、本発明の第一の実施形態の一例に係る多方向入力装置を携帯電話機に用いた場合について説明する。
【００４８】
図１は本発明の第一の実施形態の一例に係る多方向入力装置１を用いた携帯電話機の概略説明図である。図２は本発明の第一の実施形態の一例に係る多方向入力装置１を携帯電話機に用いた平面図である。なお、図２において、固定電極２１ａ、２１ｂ、２１ｃ、２２ｄに付されたハッチングは、固定電極２１ａ、２１ｂ、２１ｃ、２２ｄを明瞭にするためのもので断面を表すものではない。
【００４９】
詳しくは後述するが多方向入力装置１は、可動電極２０、固定電極２１、方向キー１１（図１においては図示せず）を備える。
【００５０】
固定電極２１は、４つ（後述のように数については適宜変更できる。）に分割されている。固定電極２１ａ、２１ｂ、２１ｃ、２２ｄは、この分割された電極である。可動電極２０は方向キー１１の任意方向の押し下げ操作に伴って移動する。
【００５１】
可動電極２０と、固定電極２１ａ、２１ｂ、２１ｃ、２１ｄそれぞれとは、上下左右方向に四つの容量素子を構成する。方向キー１１の任意方向の押し下げ操作に伴って可動電極２０は移動するので可動電極２０と固定電極２１の間の距離、すなわち可動電極２０と固定電極２１の互いの距離（位置関係）が変化する。この距離（位置関係）の変化により、この四つの容量素子の静電容量の変化する。すなわち、可動電極２０の移動に伴う静電容量の変化から押し下げた方向キー１１の任意方向が検知できる。なお、静電容量は適宜組み合わせて用いても良い。
【００５２】
Ｃ／Ｖ変換ＩＣ２０１、Ａ／Ｄ２０２、ＣＰＵ２０３等は制御部を構成する。制御部を構成するＡ／Ｄ２０２又はＣＰＵ２０３等は、信号処理回路等の論理回路に適宜変更可能である。
【００５３】
制御部は、方向キー１１の任意方向の押し下げに伴う静電容量の変化から押し下げた前記任意方向を検知する処理を行う。また、制御部は、クリック感の発生前における方向キー１１の任意方向の押し下げに伴う静電容量の変化から押し下げた前記任意方向を前記クリック感の発生前後に検知する処理を行ってもよい。
【００５４】
また、制御部は、前記の静電容量の変化から方向キー１１の任意方向の押し下げに用いた力の強さ及び又は力の速さもさらに測定する処理を行うことができる。
【００５５】
上記四つの容量素子の静電容量の変化による静電容量の変化量は、Ｃ／Ｖ変換ＩＣ２０１が電圧値の変化量（ΔＶ）に変換する。電圧値の変化量はＡ／Ｄ２０２によりデジタル信号に変換され、ＣＰＵ２０３は変換されたデジタル信号から上記四つの静電容量の変化量を認識する。この認識した四つの静電容量の変化量から押し下げた方向キー１１の任意方向を検知する。このように静電容量の変化量（ここでは、特に各容量素子の静電容量の変化のバランス）を方向検知に用いることにより、理論的には３６０度全ての任意方向の検知が可能である。そしてＣＰＵ２０３は、この任意方向に対応するように後述の画面上のポインタ４ａを移動させる等、方向検知した任意方向に応じて処理を行う。
【００５６】
さらに静電容量の変化量で、方向キー１１の任意方向を押し下げに用いた力の強さ及び又は力の速さもさらに測定できる。力の強さは静電容量の変化量から分かる。また、力の速さは前記変化量を押し下げに要した時間で割ればよい。制御部はこの力の強さ及び又は力の速さに応じた処理が出来る。両者を測定してこれに応じた処理を行うとすると、例えば、画面上のポインタ４ａを方向キー１１により移動させる場合、方向キー１１の任意方向をどの程度押し下げたか（力の強さ）に対応してポインタ４ａの移動量を決定し移動させ、方向キー１１の任意方向をどの程度の速さで押し下げたか（力の速さ）により、ポインタ４ａの移動速度を決定して移動させる。これにより、移動方向、移動量、移動速度という三つの要素により例えばポインタ４ａの移動等に関する処理が行える。これにより、方向キー１１の任意方向の押し下げに反映した処理（押し下げに反映したポインタ４ａの移動）が出来、操作感が良くなる。また、上記クリック感の発生後（又は発生前）のみにこの力の強さ及び又は力の速さに応じた処理を行っても良い。例えばクリック感の発生前（又は発生後）においては、ポインタ４ａは通常速度（基本的には一定速度）で移動し、発生後（又は発生前）にポインタ４ａの移動量及び又は移動速度を力の強さ及び又は力の速さに応じて変化させても良い。これにより、操作者はクリック感を基準にしてポインタ４ａの移動に関する処理が変化することを認識できる。また、力の強さに応じた処理について、例えば、画面上のポインタ４ａを方向キー１１により移動させる場合、方向キー１１の任意方向をどの程度押し下げたか（力の強さ）に対応して（比例して）ポインタ４ａの移動速度を変化させても良い。これにより操作感が良くなる。また、例えばクリック感の発生後（又は発生前）にのみポインタ４ａの移動速度を力の強さに応じて変化（加速又は減速）させても良い。また、上記力の強さ等を処理して、移動方向、移動量、移動速度の要素に加え、他の要素（例えばポインタ４ａの移動の際の加速等）を適宜付加しても良い。
【００５７】
なお、静電容量の変化量を静電容量の値に替えて任意方向を検知してもよい。静電容量の変化により例えば固定電極２１ａに対応する方向キーの一定範囲の方向（又は固定電極２１ａと固定電極２１ｄの間を中心とした一定範囲の方向）が押し下げられた場合には、固定電極２１ａに対応する右方向（又は固定電極２１ａと固定電極２１ｄの間を中心に対応する右上方向）が押し下げられたと検知しても良い。
【００５８】
また、静電容量の変化量を静電容量の値に替えて方向キー１１の任意方向を押し下げに用いた力の強さ及び又は力の速さを測定してもよい。
【００５９】
押し下げた方向キー１１の任意方向の検知又は方向キー１１の任意方向の押し下げに用いた力の強さ及び又は力の速さの測定については、静電容量の変化（静電容量の変化量や静電容量の値）により適宜の方法で行う。また、検知した任意方向、測定した力の強さ、力の速さをどのように処理して画面上に表示するか（例えばどのようにポインタ４ａを移動させるか等）は適宜決定する。また、上記他の要素についても適宜決定する。
【００６０】
携帯電話機５は、表示装置４と、一般キー３（テンキー、機能キー等のキーをいう。以下同じ。）と、確定キー１０と、確定キー１０を囲む方向キー１１とを有する。表示装置４には所定の画面が表示される。表示装置４は一般キー３、確定キー１０又は方向キー１１からの入力により画面表示が切り替わる。
【００６１】
方向キー１１は、表示装置４上の画面（本発明において単に画面という場合がある。）に表示されたアイコンの選択（例えば画面に表示された複数のアイコンのうち一つを選択）、メニューの中の項目選択（例えば画面に表示されたメニューのうち一つの項目を選択）、キャラクターの移動、ポインタ４ａの移動等に用いられる。
【００６２】
例えば方向キー１１の操作により画面のポインタ４ａを移動させる場合、方向キー１１の任意方向（図２においては右上）を押し下げると、この任意方向に対応する方向（図２においては右上）にポインタ４ａが破線で示す位置から実線で示す位置（図２の矢印参照）にスムーズに移動する。
【００６３】
確定キー１０は押し下げることにより、選択されたアイコンや選択された項目等を決定するために用いられる。また、確定キー１０は押し下げられることにより、移動するポインタ４ａについてクリック相当の動作を行うのに用いられる。なお、このような使い方がされなくても方向キー１１が囲むキーを本発明では確定キー１０として表現する。
【００６４】
図３(ａ)は、本発明の第一の実施形態の一例に係る多方向入力装置１の断面図である。図３（ｂ）は本発明の第一の実施形態の一例に係る多方向入力装置１の平面図である。なお、図３(ａ)において可動電極２０と、固定電極２１ａ、２１ｃと、２本の線状リング電極２２の断面はハッチングを省略し、黒く塗りつぶした。
【００６５】
図４は、本発明の第一の実施形態の一例に係る多方向入力装置１に用いるキーシート２の裏面の概略図である。なお、図４では第一屈曲部７ａ、第二屈曲部７ｂ等は省略し、可動電極は黒く塗りつぶしてある。図５は本発明の第一の実施形態の一例に係る多方向入力装置１に用いる基板６の概略図である。図５において、線状リング電極２２は黒く塗りつぶし、所定の配線パターン等（図１参照）は省略し、固定電極２１ａ、２１ｂ、２１ｃ、２１ｄにはハッチングを施した（ここでのハッチングは断面を表すものではない）。
【００６６】
多方向入力装置１は、キーシート２と、押し子８と、クリック感発生部９と、可動電極２０と、固定電極２１と、２本の線状リング電極２２を備える。キーシート２は、確定キー１０と方向キー１１とシート状部材７とを有する。多方向入力装置１は、以下に説明するように、方向キー１１の任意方向の押し下げに伴って方向キー１１が確定キー１０と共に傾動する構造に形成し、方向キー１１の任意方向を押し下げていくと押し子８によりクリック感発生部９が変形してクリック感が発生する構造に形成したものである。
【００６７】
さらに、多方向入力装置１は、基板６と、この基板６の上に設けるカバー部材３５と、キーシート２を基板６の上に支持する支持部材３６とを備える。基板６上には必要な配線パターン（図示せず）が例えば銅などによって形成される。また、基板６上には図１に示すような必要な素子等（図示せず）も配置される。カバー部材３５は上面に貫通孔３５ａを有する。
【００６８】
キーシート２は、確定キー１０の上面（押し下げを行う部分）及び方向キー１１の上面（押し下げを行う部分）が前記貫通孔３５ａから露出するように支持部材３６で支持されている。これにより、キーシート２は、その裏面が基板６に対向するように支持されている。
【００６９】
方向キー１１は確定キー１０を囲む形状であり、ここでは円環状の形状を有する。確定キー１０は、ここでは円形状を有するが形状は適宜変更可能である。方向キー１１の形状は、例えば確定キー１０を配置可能な貫通孔を有する多角形等でも良い。方向キー１１の形状は確定キー１０を囲むことが出来る形状であれば良い。
【００７０】
確定キー１０はこの確定キー１０本体の下部周縁から水平方向に張り出したフランジ１０ａを備える。フランジ１０ａは確定キー１０と一体的に同じ材料で形成するが、確定キー１０本体と別体に設けて接着剤や粘着材を用いて固着等させて設けても良い。
【００７１】
方向キー１１はこの方向キー１１本体の下部周縁から水平方向に張り出したフランジ１１ａを備える。フランジ１１ａは方向キー１１と一体的に同じ材料で形成するが、方向キー１１本体と別体に設けて接着剤や粘着材を用いて固着等させて設けても良い。
【００７２】
確定キー１０や方向キー１１は、ポリカーボネイト樹脂、ポリウレタン系樹脂、シリコーン系樹脂などの硬質樹脂を含む各種合成樹脂、各種ガラス、金属等により適宜形成する。
【００７３】
方向キー１１の裏面には段面１１ｂａ、段面１１ｂｂ及び段面１１ｂｃを設ける。確定キー１０のフランジ１０ａは、後述の第一の隙間２５を設けるようにして、段面１１ｂａの下に入り込み、この段面１１ｂａと当接している。すなわち、確定キー１０と方向キー１１は共に傾動するように係合している。これにより、確定キー１０の浮き上がり、すなわち確定キー１０がこの多方向入力装置１から飛び出してしまうことを防ぐことが出来る。
【００７４】
方向キー１１のフランジ１１ａはカバー部材３５の上部３５ｂの下に入り込んでいる。これにより、方向キー１１の浮き上がり、すなわち方向キー１１がこの多方向入力装置１から飛び出してしまうことを防ぐことが出来る。
【００７５】
なお、カバー部材３５の上部３５ｂの下面３５ｂａとフランジ１１ａとは当接可能であり（最初から当接していても良い）、方向キーの任意方向を押し下げると、その押し下げた方向と反対側のフランジ１１ａの端部が下面３５ｂａに当接して、この当接した部分が確定キー１０及び方向キー１１の傾動支点となる。
【００７６】
確定キー１０と方向キー１１は、シート状部材７の表面の所定位置に配置する。例えば確定キー１０及び方向キー１１を接着剤や粘着材等により、シート状部材７の表面の所定位置に所望の箇所（例えば、確定キーの場合は裏面全面、方向キー１１の場合はフランジ１１ａ及び段面１１ｂｂ）で固着することにより配置する。
【００７７】
シート状部材７は、シリコーンゴム等のゴム材又は熱可塑性エラストマー、各種合成樹脂等を用いてシート状に形成する。また、シート部材７がテンキー、機能キー等の一般キー３を配置する部分も有する場合、すなわち、シート部材７が多方向入力装置１の一部と一般キー３とを有する所謂キーシートのキーベースとして形成される場合には、特にこの一般キー３を配置する部分に剛性を付加しシート状部材７全体に形状安定性を付加するために、シート状部材７は金属やポリカーボネイト樹脂、ポリウレタン系樹脂、シリコーン系樹脂などの硬質樹脂などの各種合成樹脂から成る所謂補強板（枠体）と熱融着や接着等により一体的に形成されることもある。本実施形態では、シート状部材７をシリコーンゴム等のゴム材又は熱可塑性エラストマー等の弾性材料で一枚のシート状に形成している。
【００７８】
なお、シート状部材７は、基本的には一枚のシート状の部材であるが、複数の部材を一枚のシート状に形成したものでも良い。複数の部材が離れていてもよい。例えば段面１１ｂｂの段面中央の部分で、シート状部材７が切り離されていてもよい。
【００７９】
シート状部材７は、少なくとも一部が弾性等を有することにより変形可能であればよい（なお、弾性を有する場合のように復元力があったほうが望ましい）。
【００８０】
但し、確定キー１０及び方向キー１１が共に傾動可能となるように、例えば後述の第二屈曲部７ｂや、この第二屈曲部７ｂを設けない場合はこの第二屈曲部に対応する位置が、変形可能となるようにする必要がある。すなわち、シート状部材７は、方向キー１１の任意方向を押し下げた場合に確定キー１０及び方向キー１１が共に傾動可能となるように少なくとも一部が変形可能である必要がある。
【００８１】
また、確定キー１０と方向キー１１が別体の場合は、確定キー１０の押し下げにより、確定キー１０が下方に移動するように例えば後述の第一屈曲部７ａや、この第一屈曲部７ａを設けない場合はこの第一屈曲部７ａに対応する位置を、変形可能とする必要となる。すなわち、シート状部材７は、上記に加え確定キー１０の押し下げにより、確定キー１０が下方に移動するように一部が変形可能である必要がある。
【００８２】
シート状部材７は、第一屈曲部７ａと、第二屈曲部７ｂと、台座７ｃと、端部７ｄを備える。台座７ｃには、後述の可動電極２０が設けられる。支持部材３６の上に端部７ｄが固定又は当接して、シート状部材７すなわちキーシート２は基板６の上に支持されている。
【００８３】
第一屈曲部７ａは、シート状部材７の所定部分を断面略逆Ｕ字状に折り曲げて形成したものである。この第一屈曲部７ａは第一の隙間２５に収納される。第一の隙間２５はフランジ１０ａの端部の外側かつ段面１１ｂａの下に設ける。
【００８４】
第一屈曲部７ａの形状は適宜変更できる。例えば第一屈曲部７ａは、図３（ａ）等に示す第一屈曲部７ａとは逆方向、すなわち下方に向けて断面略Ｕ字状にシート状部材7を折り曲げて形成してもよい。この場合、第一の隙間２５は特に必要ない。また、図９のように第一屈曲部７ａの形状は断面略コの字状に設けても良い。
【００８５】
第一屈曲部７ａは、確定キー１０を押し下げた場合の確定キー１０の下方への移動に伴って屈曲された部分が展開する。これにより、シート状部材７の変形及び確定キー１０の下方への移動がスムーズに行なわれるようにするものである。
【００８６】
第二屈曲部７ｂは、このシート状部材７の所定部分を断面略Ｕ字状に折り曲げて略蛇腹状に形成したものである。この際、第二屈曲部７ｂを収納できる空間を設ける。
【００８７】
第二屈曲部７ｂの形状は適宜変更できる。例えば第二屈曲部７ｂは、図２（ａ）等に示す第二屈曲部７ｂとは逆方向、すなわち上方に向けて断面略逆Ｕ字状に折り曲げて形成してもよい。この場合、フランジ１１ａの端部の外側に第二の隙間２６を設ける必要がある。また、図９のように第二屈曲部７ｂの形状は断面略コの字状に設けても良い。
【００８８】
第二屈曲部７ｂは、方向キー１１及び確定キー１０の傾動に伴って展開する。この第二屈曲部７ｂにより、方向キー１１の任意方向を押し下げると方向キーの傾動に伴って屈曲された部分が適宜展開して、シート状部材７の変形がスムーズに行なわれ、方向キー１１及び確定キー１０の傾動をスムーズに出来る。
【００８９】
第一屈曲部７ａ及び第一の隙間２５は、確定キー１０の外周部に沿って円環状に設ける。第二屈曲部７ｂは、方向キー１１の外周部に沿って円環状に設ける。第二の隙間２６は、方向キー１１の外周部に沿って円環状に設ける。第一屈曲部７ａ、第一の隙間２５、第二屈曲部７ｂ及び第二の隙間２６はそれぞれ同心円状に形成する。
【００９０】
第一屈曲部７ａ、第一の隙間２５、第二屈曲部７ｂ及び第二の隙間２６は円環状でなくても良く、その形状は適宜変更可能であり、確定キー１０や方向キー１１の形状に合わせて適宜変更できる。例えば確定キーが略四角形である場合には、第一屈曲部７ａ、第一の隙間２５はこの略四角形に合わせて設ける。
【００９１】
押し子８は、キーシート２の裏面の確定キー１０に対応する位置（例えば確定キー１０の中心かつ裏面下方）に設ける。例えば図３（ａ）のように押し子８はシート状部材７と一体的に同じ材料で形成する。また、例えば押し子８は予めシート状部材７とは別に各種合成樹脂、金属等で形成し、シート状部材７に接着剤、粘着材により固着等して設けても良いし、例えばシート状部材７の押し子８を設けたい所望の位置に貫通孔を設けて確定キー１０の裏面に確定キー１０と一体的に直接形成する又は予め確定キー１０とは別に各種合成樹脂、金属等で形成してから確定キー１０に接着剤、粘着材により固着等して設けても良い。
【００９２】
押し子８には小突起８ａを一体的に設ける。小突起８ａの先端は後述のクリック感発生部９に当接する。小突起８ａは、変形可能（弾性を有することが望ましい）とする。小突起８ａは押し子８の下方への移動によりクリック感発生部９に潰される。これにより、方向キー１１が傾動可能になるストロークを確保できる。小突起８ａは無くても良い場合がある。この場合、方向キー１１が傾動可能になるストロークを確保するため押し子８とクリック感発生部９との間には間隔を設ける必要がある。
【００９３】
クリック感発生部９は、押し子８に対向するように設ける。具体的には基板６上に設ける。クリック感発生部９は、押し子８により押圧されて変形しクリック感を発生するものである。クリック感発生部９は例えばメタルドーム、ポリドーム等を図示しないフィルム（所謂ドームシート）により基板６に固定したものにより実現される。フィルムはポリエチレンテレフタレートやポリカーボネイト等により形成される。クリック感発生部９は基板６の図示しない固定接点を導通させることにより、ＯＮ／ＯＦＦのスッチング動作を可能にする。
【００９４】
傾動方向変化用部材３０は、方向キー１１の任意方向を押し下げていくとこの任意方向と逆方向が下方に移動するように確定キー１０及び方向キー１１の傾動方向を変化させるものである。傾動方向変化用部材３０は、確定キー１０及び方向キー１１の傾動に伴って下方に移動し、基板６に当接して、前記のように確定キー１０及び方向キー１１の傾動方向を変化させる（ここでは略逆に変化させる）。
【００９５】
傾動方向変化用部材３０はシート状部材７と一体的に形成する。また、傾動方向変化用部材３０は各種合成樹脂、金属等により予め形成し、シート状部材３０に接着剤、粘着材等により固着する等の適宜の方法で設けても良い。
【００９６】
傾動方向変化用部材３０は、基板６側に基板６と一体的に設ける又は各種合成樹脂、金属等により予め形成し、シート状部材７に接着剤、粘着材等により固着する等の適宜の方法で設けても良い。この場合、傾動方向変化用部材３０は、下方に移動するシート状部材７と当接して、前記のように確定キー１０及び方向キー１１の傾動方向を変化させる（ここでは略逆に変化させる）。
【００９７】
傾動方向変化用部材３０は、可動電極２０や固定電極２１の外側かつ方向キー１１の外側端部にこれらと同心円状かつ円環状に設ける。傾動方向変化用部材３０は、図３のように円周方向全面に連続的に設けても良いし、飛び飛びすなわち不連続的に設けても良い。
【００９８】
可動電極２０及び固定電極２１は方向キー１１の任意方向の押し下げに伴って互いの距離が変化するものである。
【００９９】
可動電極２０は、確定キー１０及び方向キー１１の傾動に伴って移動するようにキーシート２の裏面側に設ける。具体的にはシート状部材７の裏面の台座７ｃに設ける。可動電極２０は円環状に形成する。
【０１００】
可動電極２０は、例えば導電性ゴム材、導電インク等をシート状部材７の台座７ｃに印刷、吐出して形成する。また、可動電極２０は、例えば蒸着、スパッタリング等の適宜な金属薄膜の成膜方法を用いて形成してもよい。また、可動電極２０は、例えばあらかじめ形成した金属薄膜等を接着剤や粘着材等を用いて貼り付けて形成してもよい。なお、可動電極２０は、固定電極２１や線状リング電極２２と接触する際に変形できるように柔軟性を有することが望ましい。
【０１０１】
可動電極２０は、円環状の他、他の形状に設けても良い。また、可動電極２０は方向キー１１の押し下げに伴って移動できるのであれば適宜場所も変更できる。例えば、確定キー１０の裏面の位置かつ押し子８の周囲に可動電極２０を設けてもよい。
【０１０２】
可動電極２０は、固定電極２１に対して傾斜を有する。台座７ｃが傾斜を有するようにシート状部材７を形成し、この台座７ｃに可動電極２０を設ける。
【０１０３】
可動電極２０と固定電極２１（具体的には分割された固定電極それぞれ）は、容量素子を構成する。一般的に、容量素子の静電容量値は、電極間の距離が広い場合は小さく、電極間の間隔が小さい場合は大きくなる。可動電極２０は、固定電極２１に対して傾斜を有することにより、可動電極２０と固定電極２１の間の距離を近づけることが出来、静電容量値の絶対値を大きく出来る。
【０１０４】
ところで、上述の静電容量の変化から押し下げた方向キー１１の任意方向を検知する場合又は方向キー１１の任意方向を押し下げ操作した力の強さや力の速さを測定する場合は、容量素子の静電容量値の絶対値が大きい方が精度を出しやすい。可動電極２０が固定電極２１に対して傾斜を有することにより、両者の距離を近づけることが出来るので、上記の方向の検知、力の強さ、力の速さの測定の精度を上げることが出来る。
【０１０５】
固定電極２１は可動電極２０に対向するようにして設ける。固定電極２１は、例えば可動電極２０と対向するように円環形状（形状は適宜変更可能）を４分割して基板６上に設ける。この固定電極２１は、周方向における９０度毎に等間隔で４分割したものである。
【０１０６】
固定電極２１は例えば銅等により形成される。また、固定電極２１は、例えば導電性ゴム材、導電インク等を基板６に印刷、吐出して形成しても良いし、例えば蒸着、スパッタリング等の適宜な金属薄膜の成膜方法を用いて基板６に形成しても良い。また、固定電極２１は、例えばあらかじめ形成した金属薄膜等を接着剤や粘着材等を用いて貼り付けて形成しても良い。なお、固定電極２１の分割は、方向検知が可能となるように複数に分割されていればよく、４分割に限らず各種用途に応じて８分割、１６分割等にしても良い。
【０１０７】
隣り合う固定電極２１それぞれの間の間隔は本例では比較的狭く形成した場合について説明したがその間隔は用途等に応じて適宜間隔を広げたりしても良い。固定電極２１のそれぞれの表面はテフロン（登録商標）、樹脂フィルム等の図示しない絶縁層で被覆して設ける。絶縁層は可動電極２０の表面かつ２つの線状リング２２と接触しない部分の表面に設けても良い。絶縁層は可動電極２０（の表面かつ２つの線状リング２２と接触しない部分）及び固定電極２１両者に設けても良い。なお、絶縁層を可動電極２０又は固定電極２１に設けてあっても、可動電極２０又は固定電極２１と表現する場合がある。
【０１０８】
２本の線状リング電極２２は二つの短絡用接点として機能し、可動電極２０と接触することにより短絡されるものであり、固定電極２１の内側に可動電極２０の形状に合わせかつ円環状に設ける。２本の線状リング電極２２は、可動電極２０に接触して短絡されるのであれば他の形状に変更可能である。また、線状リング電極２２は、線状ではない形状を有する他の二つの短絡用接点に変更可能である。
【０１０９】
線状リング電極２２は、例えば銅等により形成される。また、線状リング電極２２は、例えば導電性ゴム材、導電インク等を基板６に印刷、吐出して形成しても良いし、線状リング電極２２は、例えば蒸着、スパッタリング等の適宜な金属薄膜の成膜方法を用いて基板６に形成しても良い。また、線状リング電極２２は、例えばあらかじめ形成した金属薄膜等を接着剤や粘着材等を用いて貼り付けて形成してもよい。
【０１１０】
可動電極２０の上、例えばシート状部材７と方向キー１１の裏面（段面１１ｂｃ）の間には空間３８を設ける。空間３８は、方向キー１１の裏面の段面１１ｂｃとシート状部材７の上面とによって構成される。可動電極２０が下方に移動していくと、固定電極２１や線状リング電極２２と接触する。これにより台座７ｃが押し上げられる。空間３８は、可動電極２０がスムーズに固定電極２１に接触していくように台座７ｃを収納するためのもので、徐々に潰れていくものである。
【０１１１】
空間３８が徐々につぶれていく際の空間３８の空気を逃がす及び任意方向の押し下げ操作を解除した際に空間３８に空気を送り込むための空気通路４０を方向キー１１の段部１１ｂｂの一部に設けると良い。これにより、方向キー１１の操作がよりスムーズとなる。
【０１１２】
確定キー１０及び方向キー１１が傾動する際の多方向入力装置１内部の空気を逃がす及び方向キー１１の任意方向の押し下げ操作を解除した際に多方向入力装置１内部に空気を送り込むための空気通路４１を支持部材３６の一部に設けると良い。これにより、確定キー１０、方向キー１１の操作がよりスムーズとなる。
【０１１３】
図６（ａ）は本発明の第一の実施形態の一例に係る多方向入力装置１の初期状態を示す断面図である。図６の（ｂ）乃至（ｅ）は方向キー１１の任意方向（ここでは右横方向）を押し下げていく場合の本発明の第一の実施形態の一例に係る多方向入力装置１の状態を順に示す断面図である。図６（ｆ）は、確定キー１０を押し下げた場合の本発明の第一の実施形態の一例に係る多方向入力装置１の状態を示す断面図である。なお、図６に示す多方向入力装置１は、説明のために図３（ａ）に示す多方向入力装置１とは寸法等を変更してある。図６において、可動電極２０、固定電極２１ａ、２１ｃ、２本の線状リング電極２２の断面を表すハッチングは省略した。
【０１１４】
方向キー１１の右横を押し下げると、その動作が方向キー１１の段面１１ｂａから確定キー１０のフランジ１０ａに伝わる。この際、フランジ１１ａの端部とカバー部材３５の上部３５ｂの下面３５ｂａとが当接して確定キー１０及び方向キー１１の傾動支点となる。これにより確定キー１０と方向キー１１とは共に傾動する（図６（ｂ）参照）。なお、方向キー１１のどの方向を押し下げても同様に傾動して、後述のクリック感が発生する。
【０１１５】
確定キー１０及び方向キー１１の傾動に伴って可動電極２０は下方に移動して基板６に近づき２本の線状リング電極２２に接触し、この２本の線状リング電極２２を導通させる（図６（ｂ）参照）。２本の線状リング電極２２が導通させることによりオン信号が得られる。可動電極２０が２本の線状リング電極２２に接触すると２本の線状リング電極２２を導通させてオン信号を発生させ、離反すると当該導通状態が解除される。なお、これらの導通によるオン信号は、方向キー１１の操作中すなわち、可動電極２０が２本の線状リング電極２２に接触している限り継続して発生する。
【０１１６】
このオン信号は、例えば、Ｃ／Ｖ変換ＩＣ２０１や制御部やシステム全体の励起信号として使用することも可能である。ここでは、このオン信号により、制御部は方向検知を開始する。なお、図６（ａ）に示す状態から図６（ｂ）に示す状態への移行時でも、静電容量は変化するので押し下げた任意方向を検知することは可能である。
【０１１７】
方向キー１１の右横をさらに押し下げると、確定キー１０及び方向キー１１はさらに傾動して傾動方向変化用部材３０が基板６と当接する（図６（ｃ）参照）。傾動方向変化用部材３０が基板６に当接すると、確定キー１０及び方向キー１１の傾動支点がこの当接した位置上に移る。
【０１１８】
図６（ｂ）から（ｃ）にかけて、確定キー１０及び方向キー１１の傾動に伴って押し子８は下方に移動するが、小突起８ａはクリック感発生部９により押し潰れて潰れる。しかし、クリック感発生部９を変形させるだけの力がまだ加わらないため、クリック感は発生しない。
【０１１９】
傾動方向変化用部材３０が基板６に当接して確定キー１０及び方向キー１１の傾動支点がこの当接した位置上に移っているため、方向キー１１の右横をさらに押し下げ操作すると、すなわち図６（ｃ）から（ｄ）にかけて方向キー１１の右方向をさらに押し下げていくと、この右方向と逆方向（左方向）が下方に移動するように確定キー１０及び方向キー１１の傾動方向が変化する（図６（ｄ）参照）。なお、この際、傾動方向変化用部材３０の形状（大きさ、断面方向の幅、長さ等）、材料（例えばどの程度の変形するか又は変形しないのか）等の条件により、確定キー１０及び方向キー１１が平行に下方へ移動することがある。本発明においてはこのような場合でも確定キー１０や方向キー１１が傾動すると表現する。
【０１２０】
確定キー１０及び方向キー１１の傾動により方向キー１１のフランジ１１ａの端部とカバー部材３５の上部３５ｂの下面３５ｂａとは当接して方向キー１１の傾動支点になるので、この当接部分に確定キー１０及び方向キー１１の傾動による力が加わり負担がかかってしまう。この負担により、カバー部材３５の上部３５ｂが盛り上がってしまうことがあったが、この右方向と逆方向（左方向）が下方に移動することにより、この負担を軽減できカバー部材３５の上部３５ｂの盛り上がりを防止できる。
【０１２１】
確定キー１０及び方向キー１１の傾動に伴って押し子８は下方に移動するが、小突起８ａはクリック感発生部９によりすべて潰れている（図６（ｃ）参照）。さらに押し子８の本体８ｂがクリック感発生部９を押圧してクリック感発生部９を変形するだけの力が加わるためクリック感発生部９は変形する（図６（ｄ）参照）。
【０１２２】
これによりクリック感が発生する。このときクリック感発生部９は図示しない固定接点が導通されオン信号が発生するが、この信号は適宜に使用すればよい。例えばこの信号により検知した任意方向に対応する処理を変更してもよい。例えば方向キー１１の同一方向（右方向）を押し下げていきクリック感が発生した後にこれ以上方向キーの同一方向を押し下げることが出来ないとしても、この操作を解除しなければ、ポインタはクリック感発生前では通常速度（基本的には一定速度）で移動し、クリック感発生後では加速して移動するといった処理を行ってもよい。この信号を用いなくても、例えばクリック感が発生するまでの静電容量の変化を予め制御部の記憶部等に記憶しこれを参照して、検知した任意方向に対応する処理を変更してもよい。
【０１２３】
ここで、傾動方向変化用部材３０が無くても、方向キー１１の右方向を押し下げていくことにより、押し子８が下方に移動するので、押し子８がクリック感発生部９を押圧してクリック感が発生する。方向キー１１の任意方向を押し下げていきクリック感が発生するのに必要な力は、クリック感発生部９を変形させる力に依存してしまう。このため、方向キー１１の任意方向を押し下げていくとすぐにクリック感が発生してしまい、クリック感発生前の方向キー１１の操作がすぐに終了してしまうことがある。
【０１２４】
そこで、傾動方向変化用部材３０は、確定キー１０及び方向キー１１が傾動するのに必要な方向キー１１の任意方向を押し下げていく力は確定キー１０及び方向キー１１の傾動方向の変化前よりも確定キー１０及び方向キー１１の傾動方向の変化後の方が大きくなるように設けると良い。これにより、クリック感を発生させるために必要な方向キー１１の任意方向を押し下げる力は傾動方向変化用部材３０を設けない場合よりも大きくなる。このため、徐々に力を入れていく中でクリック感の発生ポイントをずらす事が出来る。これにより、方向キー１１の任意方向を押し下げていく中で所定の弱い力（すなわち方向キーの任意方向を押し下げてクリック感が発生するために必要な力よりも弱い力）の範囲（クリック感発生前の方向キー１１の操作の範囲）を広く取ることが出来るので、操作者はクリック感が発生する前の方向キーの任意方向の押し下げがし易くなる。
【０１２５】
傾動方向変化用部材３０を、確定キー１０及び方向キー１１が傾動するのに必要な方向キー１１の任意方向を押し下げていく力は確定キー１０及び方向キー１１の傾動方向の変化前よりも確定キー１０及び方向キー１１の傾動方向の変化後の方が大きくなるように設けるとは、例えば図６等に示すように方向キー１１の上面（押し下げ操作を行う部分）からの距離が確定キー１０及び方向キー１１の傾動方向変化前の傾動支点の位置よりも横方向において近い位置に傾動方向変化用部材３０を設け、かつ方向キー１１の上面の外側に傾動方向変化用部材３０を設けることにより実現される。
【０１２６】
方向キー１１の右横をさらに押し下げると、傾動方向変化用部材３０が弾性を有するため（変形可能であるので）、今度はクリック感発生部９を変形させている押し子８が傾動支点となりさらに右に傾動する（図６（ｅ）参照）。
【０１２７】
なお、この際、押し子８の形状（大きさ、長さ等）、傾動方向変化用部材３０の形状（大きさ、断面方向の幅、長さ等）、これらの材料（例えばどの程度の変形するか（どの程度弾性を有するか）又は変形しないのか）等の条件により、確定キー１０及び方向キー１１が平行に下方へ移動することや右横と反対側（任意の方向の逆側）も多少下方に移動することがある。本発明においてはこのような場合でも確定キー１０や方向キー１１が傾動すると表現する。
【０１２８】
このように、多方向入力装置１を、傾動方向変化用部材３０と押し子８のうち少なくとも一方は変形可能として、方向キー１１の任意方向を押し下げていく中でクリック感が発生した後にさらに任意方向を押し下げていくと前記傾動方向変化用部材３０及び又は前記押し子８が変形して確定キー１０及び方向キー１１がさらに傾動する構造に形成することにより、クリック感発生後に確定キー１０及び方向キー１１が傾動出来る。これにより、可動電極２０が固定電極２１にさらに近づくことができ、同一の任意方向を押し下げていく中で、クリック感発生後においても互いの距離変化から方向検知、力の強さや力の速さの測定ができる。
【０１２９】
押し子８及び傾動方向変化用部材３０が硬質樹脂等により形成される場合には、クリック感発生後に押し下げていった任意方向と同一方向をさらに押し下げても押下がらない場合がある。
【０１３０】
図６（ｂ）から（ｅ）にかけて第二屈曲部７ｂは展開する。これにより方向キー１１の傾動がスムーズとなる。
【０１３１】
図６（ｂ）から（ｅ）にかけて可動電極２０は固定電極２１ａに接触していくことにより近づいていく。これにより、可動電極２０と固定電極２１の分割したそれぞれとの間の距離、すなわち可動電極２０と固定電極２１の互いの距離は変化するので、可動電極２０と固定電極２１の分割したそれぞれとの間の静電容量は変化していく。なお、可動電極２０の及び又は固定電極２１は表面に絶縁層が設けられているので可動電極２０と固定電極２１が接触しても静電容量を測定できる。
【０１３２】
図６（ｂ）から（ｅ）にかけて空間３８は、台座７ｃを収納し、徐々に潰れていく。
【０１３３】
方向キー１１の任意方向への押し下げ操作を解除すると、展開していた第二屈曲部７ｂ及び伸張されていた部分が元の形状に戻ろうとする復元力（すなわちシート状部材７が有する弾性による復元力）によって、確定キー１０及び方向キー１１は、図６（ａ）の初期状態に戻る。また空間３８についてもシート状部材７が有する弾性による復元力により元に戻る。
【０１３４】
また、確定キー１０を操作した（押し下げた）場合、方向キー１１は移動せず、図６（ｆ）に示すように、確定キー１１のみが真下に移動してその押し子８によって基板６上のクリック感発生部９が押圧され潰れて、図示しない固定接点が導通してオン信号が発生する。
【０１３５】
ところで、シート状部材７を設けない場合は、例えばフランジ１１ａの上面とカバー部材３５の上部３５ｂの下面３５ｂａの間に板ばね等を設け、この板ばねとクリック感発生部９に当接する小突起８ａを有する押し子８とにより確定キー１０及び方向キー１１を支持する。この場合、確定キー１０の外周面１０ｃと方向キー１１の内周面１１ｃとが当接した方が望ましい。
【０１３６】
方向キー１１の裏面等には可動電極２０等を設けるが、上述のように可動電極２０は変形する場合があるので、方向キー１１の下側を変形可能（復元力がある弾性を有することが望ましい。）に形成してこの下面に可動電極２０を設けるか、台座７ｃ等を上記と同様に設けてこの上に可動電極２０を設けることが望ましい。傾動方向変化用部材３０も方向キー１１のフランジ１１ａ端部に一体的又は後から接着剤、粘着材等により固着等して設ける。押し子８は確定キー１０の裏面に確定キー１０に一体的に直接形成する又は予め確定キー１０とは別に各種合成樹脂、金属等で形成してから確定キー１０に接着剤、粘着材等により固着等して設ける。
【０１３７】
（第二の実施形態）
図７は第二の実施形態の一例に係る多方向入力装置１Ａの断面図である。なお、可動電極２０、固定電極２１ａ、２１ｃ、２本の線状リング電極２２の断面のハッチングは省略し、黒く塗りつぶした。上記の多方向入力装置１と異なるところは確定キー１０及び方向キー１１の傾動支点が押し子８０の位置にあることである。すなわち、押し子８０とクリック感発生部９が当接している部分が傾動支点となり、シーソーのように確定キー１０及び方向キー１１が傾動する。押し子８０には小突起８ａに対応するものが無い。
【０１３８】
この場合、方向キー１１の任意方向を押し下げると押し下げた分、方向キー１１の反対方向が上方に移動してしまうので、フランジ１１ａの上面とカバー部材３５の上部３５ｂの下面３５ｂａの間を広く取る必要がある。
【０１３９】
例えば傾動方向変化用部材３０を設ける場合には、初期状態における傾動方向変化用部材３０の下面又は上面と基板６又はキーシート２との間の距離だけフランジ１１ａの上面とカバー部材３５の上部３５ｂの下面３５ｂａの間を取る必要がある。
【０１４０】
また、傾動方向変化用部３０を設けない場合には、フランジ１１ａの上面とカバー部材３５の上部３５ｂの下面３５ｂａの間を狭く取る必要がある。これにより、方向キー１１の任意方向を押し下げていくと、フランジ１１ａの端部とカバー部材３５の上部３５ｂの下面３５ｂａが当接してこの当接した部分が確定キー１０及び方向キー１１の傾動支点となり、押し子８０がクリック感発生部９を変形させることが出来る。
【０１４１】
但し、傾動方向変化用部材３０を設けないと、上記と同様傾動支点となる前記フランジ１１ａの端部と下面３５ｂａの当接した部分に負担がかかってしまう。傾動方向変化用部３０を設けると、方向キー１１の任意方向を押し下げていっても、押し下げた分だけ反対側が上方に移動しないため、負担を軽減出来、フランジ１１ａの上面とカバー部材３５の上部３５ｂの下面３５ｂａの間を狭く出来るので、多方向入力装置１の薄型化が出来る。
【０１４２】
その他の説明については第一の実施形態に準じるので省略する。
【０１４３】
（第三の実施形態）
図８は第三の実施形態の一例に係る多方向入力装置１Ｂの断面図である。なお、図８において可動電極２０、固定電極２１ａ、２１ｃ、及び２本の線状リング電極２２のハッチングは省略している。第一の実施形態と異なるところは、可動電極２０の傾斜を反対にしたことにある。すなわち第一の実施形態では可動電極２０を断面略逆ハの字状に設けていたが、第三の実施形態では断面略ハの字状に可動電極２０を設けている。
【０１４４】
確定キー１０及び方向キー１１の傾動に伴い可動電極は移動するが、可動電極２０を断面略逆ハの字状に設けた方が前記の傾動に伴い大きく移動するので静電容量の変化が大きくなるので、方向検知の精度が高くなる。
【０１４５】
なお、第三の実施形態では可動電極２０の傾斜を反対にしたことにより、これに併せて台座８２及び空間８１も形成する。さらに、第三の実施形態では可動電極２０の傾斜に合わせて、２本の線状リング電極２２等の２つの固定接点を固定電極２１の外側に設ける。
【０１４６】
その他の説明については第一の実施形態に準じるので省略する。
【０１４７】
（第四の実施形態）
図９（ａ）は第四の実施形態の一例に係る多方向入力装置１Ｃの断面図である。図９（ｂ）は、方向キー１１の任意方向を押し下げ操作した場合の第四の実施形態の一例に係る多方向入力装置１Ｃの状態を示す概略断面図である。なお、図９（ａ）（ｂ）において可動電極２０、固定電極２１ａ、２１ｃ、及び２本の線状リング電極２２のハッチングは省略している。
【０１４８】
第一の実施形態と異なるところは、可動電極２０の上に設けた空間が異なる。すなわち、シート状部材７に設けた台座７を設けずに、替わりに図９（ａ）のようにシート状部材７の所定位置を固定電極２１に対して傾斜を持たせる傾斜部８３を形成し、この傾斜部８３と方向キー１１の裏面との間に第一の実施例の空間３８に対応する空間８４を設ける。
【０１４９】
方向キー１１の任意方向を押し下げていくと図９（ｂ）に示すように、可動電極２０は固定電極２１ａに接触し傾斜部８３、立ち上がり部８８は変形し、空間８４は潰れていく。なお、立ち上がり部８８に貫通孔を設け、上記空気通路４０と同様の役割を持たせることが出来る。
【０１５０】
第四の実施例においては、傾斜部８３を形成することにより、方向キー１１の裏面に段部１１ｂｃを設ける必要が無く、裏面を平坦部８５を設けることが出来る。このため、この平坦部８５に様々な加飾を施すことが出来る。これは、方向キー１１が透光性を有し照光式である場合に特に有効である。
【０１５１】
第一屈曲部７ａ及び第二屈曲部７ｂは断面略コの字状に設けているが、説明は第一の実施形態の第一屈曲部７ａ及び第二屈曲部７ｂの説明に準じる。また、その他の説明については第一の実施形態に準じるので省略する。
【０１５２】
（第五の実施形態）
図１０は第五の実施形態の一例に係る多方向入力装置１Ｄの断面図である。なお、図１０において可動電極２０及び固定電極２１ａ、２１ｃのハッチングは省略している。
【０１５３】
第一の実施形態と異なるところは、可動電極２０と固定電極２１を平行に設けたことにある。この場合でも、可動電極２０の移動により静電容量の変化を捉えることが出来れば本発明に採用できる。なお、この場合、可動電極２０は固定電極２１ａ、２１ｃ等と接触しない場合があるのでその場合には２本の線状リング電極２２や絶縁層を適宜省略できる。
【０１５４】
その他の説明については第一の実施形態に準じるので省略する。
【０１５５】
（その他）
上記第一乃至第五の実施形態について一又は複数の部分を適宜変更可能であり、上記第一乃至第五の実施形態について適宜組み合わせることも出来る。
【０１５６】
なお、固定電極２１及び可動電極２０は適宜他の固定素子及び可動素子に変更してもよい。この場合、制御部の構成要素を適宜変更又は適宜省略する。
【０１５７】
固定素子及び可動素子は、少なくともクリック感の発生前における方向キー１１の任意方向の押し下げに伴って互いの距離が変化し、かつこの距離の変化から押し下げた前記任意方向を少なくとも前記クリック感の発生前に検知するためのものであればよい。
【０１５８】
また、可動素子及び固定素子は、クリック感の発生前における方向キー１１の任意方向の押し下げに伴って互いの距離が変化し、かつこの距離の変化から押し下げた前記任意方向を前記クリック感の発生前後に検知するためのものであってもよい。
【０１５９】
また、可動素子及び固定素子は、前記距離の変化から前記任意方向の押し下げに用いた力の強さ及び又は力の速さもさらに測定するためのものであってもよい。
【０１６０】
固定素子及び可動素子の距離の変化から押し下げた方向キー１１の任意方向を検知する方法として、磁気の変化を利用したものや抵抗の変化を利用したもの等がある。
【０１６１】
例えば、磁気の変化を利用したものとしては、可動素子及び固定素子のどちらか一方を磁石とし、他方を電流を通す配線として、磁石と配線の距離の変化から配線内に生じる電流を用いて方向を検知するものがある。また、これを利用して押し下げに用いた力の強さ及び又は力の速さもさらに測定出来る。
【０１６２】
例えば、電流の流れを利用したものとしては、可動素子及び固定素子を導電体として、例えば方向キーの任意方向を押し下げた場合に両者を接触させて、この接触面積と可動素子及び固定素子の抵抗の値の関係から方向を検知するものがある。また、これを利用して押し下げに用いた力の強さ及び又は力の速さもさらに測定出来る。
【０１６３】
図１１は、本発明の実施形態の一例に係る多方向入力装置に用いる確定キー１０と方向キー１１とこれらを配置したシート状部材７０とを有するキーシート２００の斜視図である。シート状部材７０はシート状部材７と対応する。キーシート２００はキーシート２と対応する。
【０１６４】
本発明ではキーシート２００のようにシート状部材７０には確定キー１０及び方向キー１１に加えて一般キー３も配置してもよい。これを携帯電話機５等の電子機器に直接用いても良い。この場合、上記のカバー部材３５は電子機器の筐体等になる。また、基板６は電子機器の有する基板に対応することになる。
【０１６５】
このような場合には電子機器そのもの（図１では全体）を多方向入力装置として捉えることが出来る。
【図面の簡単な説明】
【０１６６】
【図１】本発明の第一の実施形態の一例に係る多方向入力装置を用いた携帯電話機の概略説明図である。
【図２】本発明の第一の実施形態の一例に係る多方向入力装置を携帯電話機に用いた平面図である。
【図３】(ａ)は、本発明の第一の実施形態の一例に係る多方向入力装置の断面図である。（ｂ）は本発明の第一の実施形態の一例に係る多方向入力装置の平面図である。
【図４】本発明の第一の実施形態の一例に係る多方向入力装置に用いるキーシートの裏面の概略図である。
【図５】本発明の第一の実施形態の一例に係る多方向入力装置に用いる基板の概略図である。
【図６】（ａ）は、本発明の第一の実施形態の一例に係る多方向入力装置の初期状態を示す断面図である。（ｂ）乃至（ｅ）は、方向キーの任意方向（ここでは右横方向）を押し下げていく場合の本発明の第一の実施形態の一例に係る多方向入力装置の状態を順に示す断面図である。（ｆ）は、確定キーを押し下げた場合の本発明の第一の実施形態の一例に係る多方向入力装置の状態を示す断面図である。
【図７】第二の実施形態の一例に係る多方向入力装置の断面図である。
【図８】第三の実施形態の一例に係る多方向入力装置の断面図である。
【図９】（ａ）は第四の実施形態の一例に係る多方向入力装置の断面図である。（ｂ）は、方向キーの任意方向を押し下げ操作した場合の第四の実施形態の一例に係る多方向入力装置の状態を示す概略断面図である。
【図１０】第五の実施形態の一例に係る多方向入力装置の断面図である。
【図１１】本発明の実施形態の一例に係る多方向入力装置に用いる確定キーと方向キーとこれらを配置したシート状部材とを有するキーシートの斜視図である。
【符号の説明】
【０１６７】
１  多方向入力装置
２  キーシート
３  一般キー
６  基板
７  シート状部材
７ａ  第一屈曲部
７ｂ  第二屈曲部
７ｃ  台座
８,８０押し子
８ａ  小突起
９  クリック感発生部
１０  確定キー
１１  方向キー
２０  可動電極
２１  固定電極
２２  線状リング電極
３０  傾動方向変化用部材
３８,８１,８４  空間
【図１】
0004605474.tif 000002
【図２】
0004605474.tif 000003
【図３】
0004605474.tif 000004
【図４】
0004605474.tif 000005
【図５】
0004605474.tif 000006
【図６】
0004605474.tif 000007
【図７】
0004605474.tif 000008
【図８】
0004605474.tif 000009
【図９】
0004605474.tif 000010
【図１０】
0004605474.tif 000011
【図１１】
0004605474.tif 000012